(57)【要約】【課題】装置本体４の内部に、スピンドルモータ８によって回転駆動されるディスク７と、このディスク７に対しデータの書き込み／読み出しを行なうヘッド１１と、が密閉状態で収容されてなるハードディスクドライブ装置３において、新たにファンモータ等を設けることなく装置内部の温度上昇を抑制できるハードディスクドライブ装置を提供する。【解決手段】スピンドルモータ８によって回転される部材(スピンドル)９の一部を延長して装置本体４の外部に突出させ、そこにファン１８を取り付けた構成とする。ディスク７の回転駆動時にはスピンドルモータ８によってディスク７と一体にファン１８が回転し、これによって装置全体が自らの回転力で冷却されることになる。【選択図】  図５
2006114123.tif 000002
【特許請求の範囲】
【請求項１】
装置本体の内部に、スピンドルモータによって回転駆動されるディスクと、このディスクに対しデータの書き込み／読み出しを行なうヘッドと、が密閉状態で収容されてなるハードディスクドライブ装置において、
上記スピンドルモータによって回転される部材の一部を延長して上記装置本体の外部に突出させ、そこにファンを取り付けて構成され、
上記ディスクの回転駆動時に上記スピンドルモータによって上記ディスクと一体に上記ファンが回転し、上記装置本体を冷却する構造としたことを特徴とするハードディスクドライブ装置。
【請求項２】
請求項１に記載のハードディスクドライブ装置において、
上記ファンは、上記ディスクとほぼ同径に形成されていることを特徴とするハードディスクドライブ装置。
【請求項３】
請求項１に記載のハードディスクドライブ装置において、
上記ファンによる冷却風が当たる部分を、熱伝導性の高い材料で構成したことを特徴とするハードディスクドライブ装置。
【請求項４】
請求項１に記載のハードディスクドライブ装置において、
上記装置本体に、上記ファンを囲む枠体を取り付けたことを特徴とするハードディスクドライブ装置。
【発明の詳細な説明】
【技術分野】
【０００１】
本発明は、データの書き込み／読み出しを行なうハードディスクドライブ装置に関し、特に装置内部の温度上昇を抑制するための構成に係るものである。
【背景技術】
【０００２】
一般にパーソナルコンピュータやビデオレコーダにおいて記録装置として搭載されるハードディスクドライブ装置は、その内部に、スピンドルモータによって回転駆動される磁気ディスク(ハードディスク)と、この磁気ディスクに対しデータの書き込み／読み出しを行なう磁気ヘッドと、を密閉状態で収容して構成されている。
【０００３】
パソコンやコンスーマーエレクトロニクス用のハードディスクドライブ装置において最近では、さらなる高速アクセスを実現するため、磁気ディスクを回転駆動するスピンドルモータの高速回転化が進んでおり、即ちスピンドルモータの回転数は、従来の４２００ｒｐｍ、５４００ｒｐｍから７２００ｒｐｍへと高速化される傾向にあり、今後は更に１００００ｒｐｍも考えられる。しかし、スピンドルモータの高速回転化はモータの発熱量の上昇に繋がり、特に密閉されたハードディスクドライブ装置の内部での温度上昇は、装置の寿命や内部部品に深刻な影響を与えることになる。
【０００４】
そのため従来は、例えば特許文献１に示されるように、ハードディスクドライブ装置を搭載する機器にファンモータを取り付けて機器内部を排気したり、ハードディスクドライブ装置をヒートシンクで覆って放熱を高めたりする工夫が採られている。
【特許文献１】特開２００４−１４６４５８号公報
【発明の開示】
【発明が解決しようとする課題】
【０００５】
しかしながら、上記のようにファンモータによって排気を行う場合は、ファンモータを設けたことによる新たなる騒音の増加、消費電力の増加やコストアップの問題があり、またヒートシンクについては、そのための占有空間を多く必要とする等の問題があった。
【０００６】
本発明は斯かる点に鑑みてなされたもので、ファンモータやヒートシンク等を用いることなく装置内部の温度上昇を抑制できるハードディスクドライブ装置を提供し、上記の問題点を解消することを目的とする。
【課題を解決するための手段】
【０００７】
上記の目的を達成するため本発明は、
装置本体の内部に、スピンドルモータによって回転駆動されるディスクと、このディスクに対しデータの書き込み／読み出しを行なうヘッドと、が密閉状態で収容されてなるハードディスクドライブ装置において、
スピンドルモータによって回転される部材の一部を延長して装置本体の外部に突出させ、そこにファンを取り付けて構成され、
ディスクの回転駆動時にスピンドルモータによってディスクと一体にファンが回転し、装置全体を自ら冷却する構造としたものである。
【発明の効果】
【０００８】
本発明のハードディスクドライブ装置は、ディスクを回転駆動するスピンドルモータの力を利用して冷却用のファンを回転させる構造としたため、ファン駆動用のファンモータを別個に設ける必要がないので、新たな騒音の問題が発生することはないし、消費電力の増加もなく、またファンモータによるコストアップの問題もない。
さらに本発明のハードディスクドライブ装置は、既存のハードディスクドライブ装置の構成に加えて装置本体の外部にファンを設けるだけの簡単な構成であるため、低コストで実現が可能であり、またファンによる占用空間も少なくて済むので、狭いスペースでも容易に組み込むことができる。
【発明を実施するための最良の形態】
【０００９】
以下、図面を参照しながら本発明の実施例について詳細に説明する。
図１はハードディスクドライブ装置を搭載したビデオレコーダの例を示し、即ちこのビデオレコーダ１は、筐体１ａの内部のシャーシ２に固定して記録再生装置であるハードディスクドライブ装置３が組み込まれており、内蔵のＴＶチューナで受信した映像及び音声データをこのハードディスクドライブ装置３に記録し再生するものである。
【００１０】
ここで用いられるハードディスクドライブ装置の一般的な構成を図２及び図３で説明する。図２はハードディスクドライブ装置の蓋板を取り外した状態の斜視図、図３は縦断面図である。
【００１１】
このハードディスクドライブ装置３は、装置本体４の内部に、スピンドルモータ８によって回転駆動される磁気ディスク(ハードディスク)７と、この磁気ディスク７の記録面に対しデータの書き込み／読み出しを行なう磁気ヘッド１１と、を密閉状態で収容して構成される。
【００１２】
装置本体４の筐体は、矩形筐状のベースシャーシ５と、このベースシャーシ５を覆う蓋板６とによりなり、この蓋板６を端部の複数箇所において螺子によってベースシャーシ５に固定して装置本体４を密閉するようにしている。
【００１３】
磁気ディスク７は、スピンドルモータ８の駆動軸であるスピンドル９にクランパ１０を介して固定されており、スピンドルモータ８の駆動によって４２００ｒｐｍ、５４００ｒｐｍ、７２００ｒｐｍの速度で高速回転されるものである。
【００１４】
磁気ヘッド１１は、軸１２を支点として磁気ディスク７の径方向に回動するスイングアーム１３の先端部に取り付けられている。スイングアーム１３は、磁気ディスク７の回転に伴ってアクチュエータ１４の駆動によって回動し、これと一体に磁気ヘッド１１が磁気ディスク７の径方向に移動してデータの書き込み／読み出しを行なう。なお、ここで磁気ヘッド１１は、磁気ディスク７の記録面に対し数ｎｍ浮上した状態でデータの書き込み／読み出しが行なわれるようになっている。
【００１５】
磁気ディスク７は、その表裏両面に記録面を有し、これに対応してスイングアーム１３と磁気ヘッド１１は、磁気ディスク７を挟んで１対が組になって設けられている。このハードディスクドライブ装置においては、磁気ディスク７は３枚が同時に回転されるように設けられており、従ってスイングアーム１３と磁気ヘッド１１は、各磁気ディスクに対応して３対が設けられている。
【００１６】
以上のように構成されるハードディスクドライブ装置３において、上記スピンドルモータ８による磁気ディスク７の回転駆動動作及び上記磁気ヘッド１１によるデータの書き込み／読み出し動作は、ベースシャーシ５の底部に実装された電子回路基板１５上のＣＰＵとハードディスクコントローラによって制御されるようになっている。
【００１７】
このハードディスクドライブ装置においては、データの書き込み／読み出しをより高速で行なえるように、スピンドルモータ８の回転速度が７２００ｒｐｍ以上に高速化される傾向にあるが、この高速回転化に伴ってスピンドルモータ８の発熱量も増加し、そのため装置内部の温度が動作保証温度(許容温度)を超えて上昇する懸念がある。
【００１８】
その対策として、本発明によるハードディスクドライブ装置の構成を図４及び図５に示す。図４は本発明によるハードディスクドライブ装置の分解斜視図、図５は縦断面図であり、ここで前述した図２及び図３のハードディスクドライブ装置と対応する部分には同一符号を付し、重複説明は省略する。
【００１９】
本発明によるハードディスクドライブ装置３は、スピンドルモータ８の駆動軸であるスピンドル９の先端部を延長して装置本体４の外部に突出させ、そこに冷却用のファン１８を取り付けた構成としたものである。
【００２０】
スピンドル９の先端部は、蓋板６に取り付けられた軸受部材２１を貫通して装置本体４の外部に突出される構造となっており、ここで軸受部材２１としては、スピンドル９を隙間なく軸支するメタル軸受やシーリング材等を用いることにより、装置本体４内の密閉性を確保するようにしている。
【００２１】
ファン１８は、中心部のセンターキャップ１９と、このセンターキャップ１９から放射状に延びる複数の翼板２０とにより構成されており、蓋板６の上方においてセンターキャップ１９をスピンドル９の先端部に圧入状に嵌合して組み付けるものである。本例ではこのファン１８は、装置本体４に内蔵される磁気ディスク７とほぼ同径の大きさに形成されている。
【００２２】
さらにこのハードディスクドライブ装置においては、ファン１８の周囲を囲む枠体２２が蓋板６上に取り付けられており、これによって装置の周辺のコード類などが絡まないようにファン１８を保護するようにしている。本例ではこの枠体２２は、蓋板６と一体に装置本体４に螺子止めされるようになっており、その側部には、ファン１８による冷却風を逃がすための通風口２３が設けられている。
【００２３】
以上のように構成されるハードディスクドライブ装置では、スピンドルモータ８によって磁気ディスク７が高速回転されると、磁気ディスク７と一体にファン１８が高速回転し、このファン１８の高速回転によって発生する風を冷却風として装置本体４の蓋板６に当てることにより、装置本体４は自ら冷却されて内部の温度上昇が抑えられる如く作用する。
【００２４】
この場合、ファン１８はディスク７とほぼ同径の充分な大きさに形成されているので、装置本体４を広い面積にわたって効率的に冷却することができる。
【００２５】
また、このハードディスクドライブ装置において、ファン１８による冷却風が当たる蓋板６を熱伝導性の高い材料、例えば鉄板やステンレス板で構成することにより、冷却効果をさらに高めることができる。
【００２６】
このように本例のハードディスクドライブ装置では、磁気ディスク７の回転駆動時にスピンドルモータ８によって磁気ディスク７と一体に高速回転されるファン１８によって装置全体が自ら冷却されるので、スピンドルモータ８が高速回転化しても、装置内部の温度上昇を許容範囲内に抑えることができる。特にこのハードディスクドライブ装置においては、スピンドルモータ８の回転速度が上がるほどファン１８の回転速度も上がり、風力が増大するので、より効率的な冷却が可能となり、その結果、装置の長寿命化に大きく貢献することができるものである。
【００２７】
そして、このハードディスクドライブ装置は、磁気ディスク７を回転駆動するスピンドルモータ８の力を利用して冷却用のファン１８を回転させる構造としたため、ファン駆動用のファンモータを別個に設ける必要がないので、新たな騒音の問題が発生することはなく、消費電力の増加も抑えられ、またファンモータによるコストアップの問題もない。
さらにこのハードディスクドライブ装置は、既存のハードディスクドライブ装置の構成に加えて装置本体の外部にファン１８を設けるだけの簡単な構成であるため、低コストで実現が可能であり、またファン１８による占用空間も少なくて済むので、狭いスペースでも容易に組み込むことができるものである。
【００２８】
なお、上記の実施例では、スピンドルモータ８の駆動軸であるスピンドル９の先端部を延長して装置本体４の外部に突出させ、そこに冷却用のファン１８を取り付けた構成を示したが、これ以外にも、例えば磁気ディスク７をスピンドル９に固定するクランパ１０の一部を軸状に延長形成して装置本体４の外部に突出させ、そこに冷却用のファン１８を取り付けた構成としてもよい。
【００２９】
さらにその他の各部の構成においても、実施例の構成に限定されることなく種々の実施形態を採り得るものであることは言うまでもない。
【図面の簡単な説明】
【００３０】
【図１】ハードディスクドライブ装置を内蔵したビデオレコーダの斜視図である。
【図２】一般的なハードディスクドライブ装置の構成を示す蓋板を取り外した状態の斜視図である。
【図３】同、縦断面図である。
【図４】本発明によるハードディスクドライブ装置の構成を示す分解斜視図である。
【図５】同、縦断面図である。
【符号の説明】
【００３１】
３…ハードディスクドライブ装置、４…装置本体、５…ベースシャーシ、６…蓋板、７…磁気ディスク、８…スピンドルモータ、９…スピンドル、１１…磁気ヘッド、１３…スイングアーム、１８…ファン、２２…枠体
【図１】
2006114123.tif 000003
【図２】
2006114123.tif 000004
【図３】
2006114123.tif 000005
【図４】
2006114123.tif 000006
【図５】
2006114123.tif 000007